(57)【要約】【課題】セキュリティを担保しながら、ネットワークに接続された他の端末を遠隔操作することを可能とする遠隔操作システム及び遠隔操作プログラムを提供することを目的とする。【解決手段】第１端末(２００)は、識別情報を受信するための第１受信部（２０１）と、第１操作信号を出力する第１操作部（２０２）と、ネットワーク送信部（２０６）を有し、第２端末（３００）は、ネットワーク受信部（３０６）と、被遠隔動作部と、被遠隔動作部を動作状態と非動作状態とに制御する施開錠制御部（３０３）とネットワーク受信部が開始信号を受信した場合に、動作状態の被遠隔動作部を遠隔動作が可能な状態に制御する遠隔操作制御部（３０５）を有し、施開錠制御部はネットワーク受信部が所定のＩＤを受信したことに基づいて、被遠隔動作部を動作状態に制御することを特徴とする。【選択図】図１
2007329720.tif 000002
【特許請求の範囲】
【請求項１】
第１端末からネットワークで接続され第２端末を遠隔操作する遠隔操作システムであって、
前記第１端末は、
識別情報を受信するための第１受信部と、
第１操作信号を出力する第１操作部と、
前記第１受信部が前記識別情報を受信した場合に、遠隔操作を開始するための開始信号、前記第１操作信号及び所定のＩＤ信号を前記ネットワークを介して前記第２端末に送信可能な状態となるネットワーク送信部と、を有し、
前記第２端末は、
前記開始信号、前記第１操作信号及び前記所定のＩＤ信号を前記ネットワークを介して受信するためのネットワーク受信部と、
被遠隔動作部と、
前記被遠隔動作部を、動作状態と非動作状態とに制御する施開錠制御部と、
前記ネットワーク受信部が前記開始信号を受信した場合に、動作状態の前記被遠隔動作部を遠隔動作が可能な状態に制御する遠隔操作制御部と、を有し、
前記施開錠制御部は、前記ネットワーク受信部が前記所定のＩＤを受信したことに基づいて、前記被遠隔動作部を動作状態に制御する、
ことを特徴とする遠隔操作システム。
【請求項２】
前記識別情報を所定時間間隔毎に無線送信する識別情報送信機をさらに有し、
前記ネットワーク送信部は、前記識別情報を前記第１受信部が受信する毎に、前記所定のＩＤ情報として送信し、
前記ネットワーク受信部は、前記ネットワーク送信部から前記識別情報が受信される毎に送信されてくる前記所定のＩＤ情報を受信し、
前記施開錠制御部は、前記ネットワーク受信部を介して前記所定のＩＤ情報を取得し続けることによって、前記被遠隔動作部を動作状態に維持する、請求項１に記載の遠隔操作システム。
【請求項３】
前記ネットワーク送信部は、さらに前記第１端末と他の端末を識別するための端末識別情報を送信し、
前記ネットワーク受信部は、さらに前記端末識別情報を受信し、
前記施開錠制御部は、前記ネットワーク受信部を介して取得した前記端末識別情報が所定の条件を満たす場合には、前記所定のＩＤ信号に基づいて前記被遠隔動作部を動作状態又は非動作状態とする制御を行い、前記ネットワーク受信部を介して取得した前記端末識別情報が所定の条件を満たさない場合には、前記被遠隔動作部を非動作状態とする制御を行う、請求項１又は２に記載の遠隔操作システム。
【請求項４】
前記遠隔操作制御部は、前記ネットワーク受信部を介して取得した前記第１操作信号を、前記被遠隔動作部に出力する状態と出力しない状態とに切り替えることにより、遠隔操作が可能な状態と可能でない状態に制御する操作信号出力制御部を有し、
前記施開錠制御部は、前記操作信号出力制御部から出力される前記第１操作信号が、前記被遠隔制御部に入力されることを阻止する状態と通過させる状態とに切り替えることにより、前記被遠隔動作部を動作状態と非動作状態とに制御する操作信号出力制限部を有する、請求項３に記載の遠隔操作システム。
【請求項５】
前記第２端末は、さらに第２操作信号を出力する第２操作部を有し、
前記操作信号出力制御部は、前記第２操作信号を受信し、遠隔操作の場合には前記第２操作信号を出力せずに前記第１操作信号を出力し、遠隔操作以外の場合には前記第１操作信号を出力せずに第２操作信号を出力する、請求項４に記載の遠隔操作システム。
【請求項６】
前記第２端末は、第２受信部をさらに有し、
前記施開錠制御部は、前記ネットワーク受信部または第２受信部を介して前記所定のＩＤ信号を取得したことに基づいて、前記被遠隔動作部を動作状態に制御する、請求項１〜５の何れか一項に記載の遠隔操作システム。
【請求項７】
第１受信部、第１操作部及びネットワーク送信部を有する第１コンピュータから、ネットワークで接続され、ネットワーク受信部、被遠隔動作部及び施開錠制御部を有する第２コンピュータを遠隔操作する遠隔操作プログラムであって、
前記第１コンピュータに、
前記第１受信部が識別情報を受信した場合に、前記ネットワーク送信部によって遠隔操作を開始するための開始信号、前記第１操作信号及び所定のＩＤ信号を前記ネットワークを介して前記第２端末に送信させ、
前記第２コンピュータに、
前記ネットワーク受信部が前記所定のＩＤ信号を受信した場合に、施開錠制御部をして前記被遠隔動作部を遠隔操作可能な状態とさせる、
ように機能させる遠隔操作プログラム。
【発明の詳細な説明】
【技術分野】
【０００１】
本発明は、ネットワークに接続された第１端末から第２端末を遠隔操作する遠隔操作システム及び遠隔操作プログラムに関する。
【背景技術】
【０００２】
ユーザがＰＣ（パーソナルコンピュータ）等を利用して、機密性の高い情報の入力や文書の作成を行っている場合、ユーザがＰＣを離れる時に、第３者にＰＣに記憶されたデータを勝手に見られたり、ダウンロードされたり、改ざんされたり、消去されたりすることを防ぐ必要性がある。
【０００３】
そこで、ユーザが携帯している発信機からＩＤ情報を送信し、ＰＣ側でＩＤ情報を受信して、予め登録されているものと一致した場合にはＰＣの利用を許可するようにしたセキュリティシステムが知られている（例えば、特許文献１）。
【０００４】
しかしながら、一方のＰＣから他方のＰＣを遠隔操作する場合、これらのＰＣを同時に動作状態にする必要があるが、両方のＰＣに前述のセキュリティシステムが導入されていると、ユーザが直接操作する端末には、ユーザが携帯している発信機からＩＤ情報が到達するが、遠隔操作されるＰＣは、ユーザとの距離が離れているために、ユーザが携帯している発信機からＩＤ情報が到達せず、遠隔操作ができないという問題があった。
【０００５】
【特許文献１】特開２０００−９９１８７号（第５−６頁、第２図）
【発明の開示】
【発明が解決しようとする課題】
【０００６】
そこで、本発明は、上記の不具合を解消することを可能とした遠隔操作システム及び遠隔操作プログラムを提供することを目的とする。
【０００７】
また、本発明は、セキュリティを担保しながら、ネットワークに接続された他の端末を遠隔操作することを可能とする遠隔操作システム及び遠隔操作プログラムを提供することを目的とする。
【課題を解決するための手段】
【０００８】
上記課題を解決するために、本発明に係る遠隔操作システムでは、
第１端末は、識別情報を受信するための第１受信部と、第１操作信号を出力する第１操作部と、第１受信部が識別情報を受信した場合に、遠隔操作を開始するための開始信号、第１操作信号及び所定のＩＤ信号をネットワークを介して第２端末に送信可能な状態となるネットワーク送信部を有し、
第２端末は、開始信号、第１操作信号及び所定のＩＤ信号をネットワークを介して受信するためのネットワーク受信部と、被遠隔動作部と、被遠隔動作部を動作状態と非動作状態とに制御する施開錠制御部と、ネットワーク受信部が開始信号を受信した場合に、動作状態の被遠隔動作部を遠隔動作が可能な状態に制御する遠隔操作制御部を有し、施開錠制御部は、ネットワーク受信部が所定のＩＤを受信したことに基づいて、被遠隔動作部を動作状態に制御する、ことを特徴とする。
【０００９】
また、本発明に係る遠隔操作システムでは、識別情報を所定時間間隔毎に無線送信する識別情報送信機をさらに有し、ネットワーク送信部は、識別情報を第１受信部が受信する毎に、所定のＩＤ情報として送信し、ネットワーク受信部は、ネットワーク送信部から識別情報が受信される毎に送信されてくる所定のＩＤ情報を受信し、施開錠制御部は、ネットワーク受信部を介して所定のＩＤ情報を取得し続けることによって、被遠隔動作部を動作状態に維持することが好ましい。遠隔操作中に、第２端末側で継続的にＩＤ信号による認証を行うため、第１端末の操作者が離席したときなどに、自動的に第２端末をロック状態にすることができるように構成した。
【００１０】
さらに、本発明に係る遠隔操作システムでは、ネットワーク送信部は、さらに第１端末と他の端末を識別するための端末識別情報を送信し、ネットワーク受信部は、さらに端末識別情報を受信し、施開錠制御部は、ネットワーク受信部を介して取得した端末識別情報が所定の条件を満たす場合には、所定のＩＤ信号に基づいて被遠隔動作部を動作状態又は非動作状態とする制御を行い、ネットワーク受信部を介して取得した端末識別情報が所定の条件を満たさない場合には、被遠隔動作部を非動作状態とする制御を行う、ことが好ましい。予め遠隔操作が許可されている（第２端末に端末識別情報を登録してある）端末以外から遠隔操作が行われた場合には、その条件だけで被遠隔動作部を非作動状態とすることができるように構成した。
【００１１】
さらに、本発明に係る遠隔操作システムでは、遠隔操作制御部はネットワーク受信部を介して取得した第１操作信号を、被遠隔動作部に出力する状態と出力しない状態とに切り替えることにより、遠隔操作が可能な状態と可能でない状態に制御する操作信号出力制御部を有し、施開錠制御部は、操作信号出力制御部から出力される第１操作信号が、被遠隔制御部に入力されることを阻止する状態と通過させる状態とに切り替えることにより、被遠隔動作部を動作状態と非動作状態とに制御する操作信号出力制限部を有する、ことが好ましい。
【００１２】
さらに、本発明に係る遠隔操作システムでは、第２端末は、さらに第２操作信号を出力する第２操作部を有し、操作信号出力制御部は、第２操作信号を受信し、遠隔操作の場合には第２操作信号を出力せずに第１操作信号を出力し、遠隔操作以外の場合には第１操作信号を出力せずに第２操作信号を出力する、ことが好ましい。
【００１３】
さらに、本発明に係る遠隔操作システムでは、第２端末は、第２受信部をさらに有し、
施開錠制御部は、ネットワーク受信部または第２受信部を介して所定のＩＤ信号を取得したことに基づいて、被遠隔動作部を動作状態に制御することが好ましい。
【００１４】
上記課題を解決するために、本発明に係る遠隔操作プログラムは、第１コンピュータに、第１受信部が識別情報を受信した場合に、ネットワーク送信部によって遠隔操作を開始するための開始信号、第１操作信号及び所定のＩＤ信号をネットワークを介して第２端末に送信させ、第２コンピュータに、ネットワーク受信部が所定のＩＤ信号を受信した場合に、施開錠制御部をして被遠隔動作部を遠隔操作可能な状態とさせるように機能させることを特徴とする。
【発明の効果】
【００１５】
本発明によれば、第２端末におけるロック状態の被遠隔動作部に対して、ロック解除された第１端末からロック解除用の識別番号を送信し、第２端末側で認証を行って、被遠隔動作部のロックを解除することにより、第２端末とは離れた場所にある第１端末から、ロック状態であった第２端末を、セキュリティを確保した状態で遠隔操作できるようなった。
【００１６】
また、本発明によれば、遠隔操作される端末又はコンピュータへロック解除用の識別番号を送信する電波が直接電波が到達しない状況であっても、ネットワークに接続されている遠隔の端末又はコンピュータを遠隔操作することが可能となった。
【発明を実施するための最良の形態】
【００１７】
以下図面を参照して、本発明に係る遠隔操作システム及び遠隔操作プログラムについて説明する。
【００１８】
図１は、本発明に係る遠隔操作システムの概略構成を示した図である。
【００１９】
遠隔操作システムの最小構成要素は、第１識別情報送信機１００、第１端末２００、第２端末３００、ＬＡＮネットワーク４００から構成される。
【００２０】
第１識別情報送信機１００は、ＣＰＵ等を含んで構成される制御部、予め定められたＩＤ信号を記憶する記憶部、所定の時間間隔（例えば、２秒間隔）でＩＤ信号を送信する送信部、送信用のアンテナ等から構成される。また、第１識別情報送信機１００は、ユーザが常時携帯することを前提としたバッチ型に構成されているが、首からぶら下げる名刺サイズのカードタイプ、腕時計型、携帯電話、ＰＤＡ、小型ＰＣ端末など既存の情報端末装置等であっても良く、そのサイズ、重さ、形態などは特に限定されるものではない。
【００２１】
第１端末２００は、第１識別情報送信機１００からの所定のＩＤ信号を受信するための第１受信部２０１、キーボード及びマウス等から構成し第１操作信号を出力するための第１操作部２０２、第１施開錠制御部２０３、第１記憶部２０４、第１遠隔操作制御部２０５、及びＬＡＮネットワーク４００を介して他の端末との間で情報交換を行うためのネットワーク送受信部と機能する第１送受信部２０６等から構成されている。
【００２２】
また、第１記憶部２０４には、予め、第１遠隔操作用ＩＤ、第１遠隔操作用パスワード、第１ＩＤ信号及び第１端末を識別する第１端末識別情報が記憶されているものとする。
【００２３】
第１施開錠制御部２０３は、第１受信部２０１が第１識別情報送信機１００から受信したＩＤ信号が第１記憶部２０４に記憶されている第１ＩＤ信号と一致した場合に、スクリーンセイバー、アプリケーションソフトウエア及び第１遠隔操作制御部２０５に対して第１操作部２０２からの第１操作信号を出力可能な状態とする（開錠状態）。また、第１施開錠制御部２０３は、第１受信部２０１が受信したＩＤ信号が第１記憶部２０４に記憶されている第１ＩＤ信号と一致しない場合には、スクリーンセイバーのみに第１操作部２０２からの第１操作信号を出力する状態とし（施錠状態）、パスワードによる強制ロック解除が行える状態とする。
【００２４】
また、第１施開錠制御部２０３は、第１受信部２０１が受信したＩＤ信号が第１記憶部２０４に記憶されている第１ＩＤ信号と一致した場合に、第１操作部２０２からの遠隔操作開始信号に基づいて、第１受信部２０１が受信したＩＤ信号を第１送受信部２０６へ出力し、同時に、第１記憶部２０４から第１端末識別情報を取得して第１送受信部２０６へ出力する。
【００２５】
第１遠隔操作制御部２０５は、開錠状態の場合には、第１施開錠制御部２０３を介して出力される第１操作部２０２からの遠隔操作開始信号に基づいて、開始信号を第１送受信部２０６へ出力し、同時に、第１記憶部２０４から第１遠隔操作用ＩＤ及び第１遠隔操作用パスワードを取得して第１送受信部２０６へ出力する。施錠状態の場合には、第１施開錠制御部２０３が、第１操作部２０２からの信号を第１遠隔操作制御部２０５に出力しないため、第１操作部２０２からの遠隔操作開始信号が第１遠隔操作制御部２０５に出力されずにこのような動作を行わない。また、第１遠隔操作制御部２０５は、開錠状態の場合には、第１施開錠制御部２０３を介して出力される第１操作部２０２からの遠隔操作終了信号に基づいて、終了信号を第１送受信部２０６へ出力する。施錠状態の場合には、前述の場合と同様に、第１施開錠制御部２０３が、第１操作部２０２からの遠隔操作終了信号を第１遠隔操作制御部２０５に出力しないため、このような動作を行わない。
【００２６】
第１送受信部２０６は、開始信号、第１操作信号、受信したＩＤ信号、第１端末識別情報、第１遠隔操作用ＩＤ、第１遠隔操作用パスワード及び終了信号をＬＡＮネットワーク４００に出力する。
【００２７】
第２端末２００は、第２識別情報送信機１０１からの所定のＩＤ信号を受信するための第２受信部３０１、キーボード及びマウス等から構成し第２操作信号を出力するための第２操作部３０２、第２施開錠制御部３０３、第２記憶部３０４、第２遠隔操作制御部３０５、及びＬＡＮネットワーク４００を介して他の端末との間で情報交換を行うためのネットワーク送受信部として機能する第２送受信部３０６等から構成されている。
【００２８】
また、第２記憶部３０４には、予め、第２遠隔操作用ＩＤ、第２遠隔操作用パスワード、第２ＩＤ信号及び第２端末識別情報が記憶されているものとする。さらに、第２記憶部３０４には、第２識別情報送信機１０１に対応した登録ＩＤも記憶されているものとする。
【００２９】
第２送受信部３０６は、ＬＡＮネットワーク４００を介して、開始信号、第１操作信号、受信したＩＤ信号、第１端末識別情報、第１遠隔操作用ＩＤ、第１遠隔操作用パスワード及び終了信号を受信する。
【００３０】
第２遠隔操作制御部３０５は、開始信号を第２送受信部３０６から取得すると、第２送受信部３０６から取得した第１遠隔操作用ＩＤ及び第１遠隔操作用パスワードが、第２記憶部３０４に予め記憶されている第２遠隔操作用ＩＤ及び第２遠隔操作用パスワードと一致するか否かの判断を行う。第１遠隔操作用ＩＤ及び第１遠隔操作用パスワードが第２遠隔操作用ＩＤ及び第２遠隔操作用パスワードと一致する場合には、第２操作部３０２からの第２操作信号を出力する状態から、受信した第１操作信号を出力する状態（遠隔操作状態）に切り替える。そう言った意味で、第２遠隔操作制御部３０５は、操作信号出力制御部３１０として機能している。
【００３１】
遠隔操作状態の第２端末３００は、第１端末２００によるログイン状態となる。したがって、第２端末３００が遠隔操作状態の場合、第１端末２００がログインされると、同時に第２端末３００もログインされることとなる。また、遠隔操作状態の第２端末３００では、第２遠隔操作制御部３０５は、第２操作部３０２からの第２操作信号を、第２施開錠制御部３０３を介して、各アプリケーションソフトウエアには出力しない。そう言った意味で、第２施開錠制御部３０３は操作信号出力制限部として機能している。
【００３２】
ところで、第２遠隔操作制御部３０５は、第２操作部３０２からのログイン操作が行われたか否かの監視は継続している。ログイン操作が正常に行われた場合には、第２遠隔操作制御部３０５は、遠隔操作を解除して終了信号を第２施開錠制御部３０３及び第２送受信部３０６へ出力する。第２送受信部３０６は、終了信号を第１端末２００へ出力し、第１遠隔操作制御部２０５が第１送受信部２０６を介して終了信号を受信し、遠隔操作を終了する。なお、第２施開錠制御部３０３は、終了信号を第２遠隔操作制御部３０５から受信すると、第２端末３００をロック状態に制御する。
【００３３】
第２施開錠制御部３０３は、第２送受信部３０６を介して開始信号を受信してから、終了信号（第２送受信部３０６又は第２遠隔操作制御部３０５から）を受信するまで、第２送受信部３０６を介して受信する第１ＩＤ信号及び第１端末識別情報が、第２記憶部３０４に記憶される第２ＩＤ信号及び第２端末識別情報とそれぞれ一致するか否かの認証動作を継続する。第２施開錠制御部３０３は、遠隔操作の途中で、第１ＩＤ信号及び第１端末識別情報を受信できなかったり、第１ＩＤ信号及び第１端末識別情報以外のデータを受信しても、第２端末３００の遠隔操作状態を維持するが、被遠隔動作部を施錠状態にする。その後、第１ＩＤ及び第１端末識別情報を受信すると、遠隔操作状態で被遠隔動作部が開錠される。
【００３４】
第２施開錠制御部３０３が、第１操作信号又は第２操作信号をアプリケーションソフトウエアに出力しなければ、アプリケーションソフトウエアは第１操作信号又は第２操作信号による処理を行うことができない構成となっている。即ち、被遠隔動作部（アプリケーションソフトウエア）が、非動作状態（ロック状態）となる。
【００３５】
第２端末３００においても、第２受信部３０１が他の識別情報発信機１０１から所定のＩＤを受信することによって、第１端末２００と同様に第２端末２００を動作状態とすることが可能である。
【００３６】
図２は、第１端末２００と第２端末等の設置例を示した図である。
【００３７】
図２に示すように、ＬＡＮネットワーク４００が配置された所定の部屋４１０に、第１端末２００〜第６端末７００の６台のＰＣ端末が設置されている。各ＰＣ端末は、それぞれ第１受信部２０１〜第６受信部７０１を有している。また、図２では、各受信部と第１識別情報送信機１００とが交信できる範囲を第１受信可能領域４０１〜第６受信可能領域４０６として示した。
【００３８】
図２の例では、第１識別情報送信機１００を有するユーザが利用権限を有している第１端末２００の近傍で第１端末２００を操作しているが、同様に利用権限を有する第２端末３００の第２受信範囲内に第１識別情報送信機１００が存在していないので、そのままでは第２端末３００を利用することができない状況を示している。
【００３９】
なお、図２では、６台の端末がＬＡＮネットワーク４００に接続されているが、台数はこれに限定されるものではない。また、複数の端末が接続されるネットワークは、有線のＬＡＮネットワークに限定されるものではなく、インターネットや無線ＬＡＮ等を含めて、他のネットワークに接続されるように構成されても良い。
【００４０】
図３は、第１識別情報送信機１００における処理フローを示した図である。
【００４１】
最初に、第１識別情報送信機１００の制御部は、記憶部に記憶されているＩＤ信号を取得して送信部からＩＤ信号を含んだＩＤ信号を送信する（Ｓ１）。次に、制御部は、所定時間（例えば、２秒）の計時を行い（Ｓ２）、再度Ｓ１の動作を行う。
【００４２】
即ち、第１識別情報送信機１００は、所定時間毎に、ＩＤ信号を含んだＩＤ信号を繰り返し送信し続けることとなる。
【００４３】
図４及び図５は、第１端末３００における処理フローの一例を示した図である。
【００４４】
図４及び図５に示す処理フローは、予めインストールされているプログラムに従って、第１施開錠制御部２０３及び第１遠隔操作制御部２０５が、第１端末２００の各要素と協同して実行するものとする。
【００４５】
最初に、第１施開錠制御部２０３は、第１端末２００のロックを行う（Ｓ１０）。
【００４６】
第１施開錠制御部２０３は、第１受信部２０１からＩＤ信号を取得し（Ｓ１１）、２秒間の経過を待って（Ｓ１２）、受信したＩＤ信号が、第１記憶部２０４に記憶されている第１ＩＤ信号と同じか否かの判断を行う（Ｓ１３）。
【００４７】
Ｓ１３において、受信したＩＤ信号が第１ＩＤ信号と同一でない場合には、Ｓ１０へ戻り、同一の場合には、第１端末２００のロックを解除する（Ｓ１４）。
【００４８】
次に、遠隔操作の開始動作を行った否かの判断を行い（Ｓ１５）、動作が行われた場合には、第１施開錠制御部２０３は、遠隔操作の開始信号を第１送受信部２０６からＬＡＮネットワーク４００を介して第２端末３００へ送信する（Ｓ１６）。さらに、第１施開錠制御部２０３は、第１遠隔操作用ＩＤ及び第１遠隔操作用パスワードを第１記憶部２０４から取得して、第１送受信部２０６から第２端末３００へ送信する（Ｓ１７）。
【００４９】
次に、第１施開錠制御部２０３は、遠隔操作が許可されたか否かの判断を行い（Ｓ１８）、許可されなかった場合には、遠隔操作の終了信号を第１送受信部２０６からＬＡＮネットワーク４００を介して第２端末３００へ送信して（Ｓ１９）、Ｓ１１へ戻る。また、Ｓ１８において、遠隔操作が許可された場合には、第１施開錠制御部２０３は、Ｓ１１で受信したＩＤ信号及び第１記憶部２０４から取得した第１端末認識情報を、第１送受信部２０６から第２端末３００へ送信する（Ｓ２０）。
【００５０】
次に、第１施開錠制御部２０３は、第１受信部２０１からＩＤ信号を取得し（Ｓ２１）、２秒間が経過したか否かの判断を行う（Ｓ２２）。２秒間が経過しない場合には、第１施開錠制御部２０３は、第２端末３００へ第１送受信部から第１操作信号を送信し（Ｓ２３）、遠隔操作を終了したか否かの判断を行う（Ｓ２４）。遠隔操作を終了した場合には、Ｓ１９へ戻り、終了していない場合にはＳ２１へ戻る。即ち、２秒経過までは遠隔操作のための第１操作信号を第２端末３００へ送信することとなる。
【００５１】
Ｓ２２で２秒経過した場合には、Ｓ２１で取得したＩＤ信号が、第１記憶部２０４に記憶されている第１ＩＤ信号と同じか否かの判断を行う（Ｓ２５）。受信したＩＤ信号が第１ＩＤ信号と同一でない場合には、第１施開錠制御部２０３は、第１端末２００をロックし(Ｓ２７)、同一の場合には、Ｓ２１で受信したＩＤ信号及び第１記憶部２０４から取得した第１端末認識情報を、第１送受信部２０６から第２端末３００へ送信して（Ｓ２６）、Ｓ２３へ戻る。
【００５２】
次に、第１施開錠制御部２０３は、第１受信部２０１からＩＤ信号を取得し（Ｓ２８）、２秒間の経過を待って（Ｓ２９）、受信したＩＤ信号が、第１記憶部２０４に記憶されている第ＩＤ信号と同じか否かの判断を行う（Ｓ３０）。第１施開錠制御部２０３は、Ｓ３０で、受信したＩＤ信号が第ＩＤ信号と同一の場合には、第１端末２００のロックを解除し、同一でない場合には、Ｓ２８へ戻る。
【００５３】
上述した様に、第１端末２００は、第１受信部が受信したＩＤ信号を予め記憶した第１ＩＤ信号と比較し、同一であればロックを解除する。また、ロックが解除された状態で所定の操作がなされた場合には、第２端末３００を遠隔操作すべく、受信したＩＤ信号、第１遠隔操作用ＩＤ、第１遠隔操作用パスワード、第１端末識別情報を第２端末３００へ送信する。さらに、遠隔操作が許可された場合には、第１操作部からの第１操作信号を第２端末３００へ送信する。
【００５４】
図６及び図７は、第２端末３００における処理フローの一例を示した図である。
【００５５】
図６及び図７に示す処理フローは、予めインストールされているプログラムに従って、第２施開錠制御部３０３及び第２遠隔操作制御部３０５が、第２端末３００の各要素と協同して実行するものとする。
【００５６】
最初に、第２施開錠制御部３０３は、第２端末３００のロックを行う（Ｓ４０）。
【００５７】
第２遠隔操作制御部３０５は、第２送受信部３０６を介して第１端末２００から遠隔操作の開始信号が受信したか否かの判断を行う（Ｓ４１）。Ｓ４１で遠隔操作の開始信号を受信していないと判断された場合には、第２施開錠制御部３０３は、第２受信部３０１が第２識別情報送信機１０１から受信したＩＤ信号を取得し（Ｓ４２）、２秒間の経過を待って（Ｓ４３）、受信したＩＤ信号が、第２記憶部３０４に記憶されている登録ＩＤ信号と同じか否かの判断を行う（Ｓ４４）。
【００５８】
Ｓ４４において、Ｓ４２で受信したＩＤ信号が登録ＩＤ信号と同一でない場合には、第２施開錠制御部３０３は、第２端末３００をロックし（Ｓ４５）、同一の場合には、第２端末３００のロックを解除する（Ｓ４６）。
【００５９】
Ｓ４１で遠隔操作の開始信号を受信したと判断された場合には、第２遠隔操作制御部３０５は、第２送受信部３０６を介して、第１遠隔操作用ＩＤ及び第１遠隔操作用パスワードを取得し（Ｓ４７）、取得した第１遠隔操作用ＩＤ及び第１遠隔操作用パスワードが、予め第２記憶部３０４に記憶されている第２遠隔操作用ＩＤ及び第２遠隔操作用パスワードと同一か否かの判断を行う（Ｓ４８）。取得した第１遠隔操作用ＩＤ及び第１遠隔操作用パスワードが、第２遠隔操作用ＩＤ及び第２遠隔操作用パスワードと一致しない場合には、Ｓ４２へ戻る。
【００６０】
取得した第１遠隔操作用ＩＤ及び第１遠隔操作用パスワードが、第２遠隔操作用ＩＤ及び第２遠隔操作用パスワードと一致した場合には、第２遠隔操作制御部３０５は、遠隔操作許可信号を第２送受信部３０６を介して第１端末２００へ送信し（図４のＳ１８参照）、遠隔操作を許可（開始）する（Ｓ５１）。また、第２遠隔操作制御部３０５は、第２操作部３０２からのログイン操作以外の第２操作信号を出力しないように制御する（Ｓ５２）。これらの動作によって、第１端末２００による第２端末３００の遠隔操作が開始されることとなる。
【００６１】
次に、第２遠隔操作制御部３０５は、遠隔操作の終了信号を受信したか否かの判断を行い（Ｓ５３）、終了信号を受信した場合には、遠隔操作不許可（終了）信号を第２送受信部３０６を介して第１端末２００へ送信する（Ｓ５４）。これらの動作によって、第１端末２００による第２端末３００の遠隔操作が終了されることとなる。また、その後、次に、第２遠隔操作制御部３０５は、第２操作部３０２からログイン操作がなされたか否かの判断を行い（Ｓ５５）、ログイン操作がなされた場合には、Ｓ４０へ戻る。
【００６２】
Ｓ５５で、ログイン操作がなされなかった場合には、第２送受信部３０６を介して第１端末２００から、遠隔操作開始信号を受信したか否かの判断を行う（Ｓ５６）。Ｓ５６で遠隔操作開始信号を受信した場合には、第２送受信部３０６を介して第１遠隔操作用ＩＤ及び第２遠隔操作用パスワードを取得する（Ｓ５７）。その後、取得した第１遠隔操作用ＩＤ及び第１遠隔操作用パスワードが、予め第２記憶部３０４に記憶されている第２遠隔操作用ＩＤ及び第２遠隔操作用パスワードと同一か否かの判断を行う（Ｓ５８）。Ｓ５８において、第１遠隔操作用ＩＤ及び第１遠隔操作用パスワードが、予め第２記憶部３０４に記憶されている第２遠隔操作用ＩＤ及び第２遠隔操作用パスワードと同一の場合には、Ｓ５０へ戻る。また、Ｓ５６で遠隔操作開始信号を受信しなかった場合、及びＳ５８で第１遠隔操作用ＩＤ及び第１遠隔操作用パスワードが、予め第２記憶部３０４に記憶されている第２遠隔操作用ＩＤ及び第２遠隔操作用パスワードと同一でなかった場合には、Ｓ５５へ戻る。
【００６３】
Ｓ５３で、遠隔操作の終了信号を受信しなかった場合には、第２遠隔操作制御部３０５は、第２操作部３０２からログイン操作がなされたか否かの判断を行い（Ｓ５６）、ログイン操作がなされた場合には、Ｓ４０へ戻る。
【００６４】
Ｓ５９でログイン操作がなされなかった場合には、第２施開錠制御部３０３は、第１端末２００の第１受信部２０１で受信した第１識別情報送信機１００からの第１ＩＤ信号と第１端末識別情報とを、第２送受信部３０６を介して取得し（Ｓ６０）、受信した第１ＩＤ信号及び第１端末識別情報が、第２記憶部３０４に記憶されている第２ＩＤ信号及び第２端末情報とそれぞれ一致するか否かの判断を行う（Ｓ６２）。また、Ｓ６０で受信した第１ＩＤ信号及び第１端末識別情報が、第２ＩＤ信号及び第２端末情報と一致しない場合には、第２端末３００をロックし（Ｓ６３）、一致する場合には、第２端末３００のロックを解除する（Ｓ６４）。また、遠隔操作の最中には、第２端末３００に対応した第２識別情報送信機１０１からのＩＤ信号を第２受信機３０１が受信しても、このＩＤに基づく開錠動作は行わずに、遠隔操作を維持する。すなわち、第２施開錠制御部３０３は、遠隔操作中には、第２受信部３０１が受信したＩＤ信号に基づく施開錠制御を行わない。
【００６５】
Ｓ６１で２秒経過していない場合、Ｓ６３において第２端末３００をロックした場合、及びＳ６４において第２端末のロックを解除した場合には、Ｓ５３へ戻り、処理を継続する。
【００６６】
図４〜図７に示したような処理フローに従って、第１端末２００及び第２端末３００が動作することによって、第２端末３００におけるロック状態の被遠隔動作部に対して、ロック解除された第１端末２００からロック解除用のＩＤ信号等を送信し、第２端末側で認証を行って被遠隔動作部のロックを解除するように構成した。したがって、第２端末３００とは離れた場所にある第１端末２００から、ロック状態であった第２端末を遠隔操作することが可能となった。したがって、第２端末３００では、通常は第２操作部３０２からの第２操作信号（例えば、文字コード）を第２端末３００にインストールされている各アプリケーションプログラム（例えば、メーラー、ワープロ、表作成等）に出力するが、遠隔操作時には、第１端末２００の第１操作部２０２からの第１操作信号（例えば、文字コード）をインストールされている各アプリケーションプログラムに対して出力することとなる。
【００６７】
また、パソコンロックシステムが設定されている第２端末３００では、第２操作部３０２をロックする目的で第２遠隔操作制御部３０５（第２操作信号出力制御部３１０）から出力される信号を、各アプリケーションには出力せず、スクリーンセイバーだけに出力するようになっている。したがって、第１端末２００の第１操作部２０２から出力される第１操作信号は、第２遠隔操作制御部３０５（第２操作信号出力制御部３１０）を経由して各アプリケーションプログラムに出力する遠隔操作は、第２端末３００がロックされていると、使用することができない。このように、本願の遠隔操作は、第２端末３００のロックされている部分を制御することに特徴がある。
【００６８】
これに対して、第１端末から第２端末の施開錠制御が行われない部分に直接アクセスする場合（例えばファイル共有によって、第１端末から第２端末の施開錠制御が行われないハードディスクに直接アクセスする場合）は、第１端末がアクセスしない部分が施錠状態にあっても、第１端末から第２端末へのアクセスが可能であるため、本願のように、被遠隔動作部が施開錠制御される遠隔操作システムとは異なる。
【００６９】
ところで、本遠隔操作システムを稼動させるためのプログラムは、第１端末２００及び第２端末３００用に別々に作成されて、それぞれの端末に個別にインストールされるように設定されても良いし、遠隔操作を行う側及び遠隔操作される側のいずれにも対応できるプログラムを、第１端末２００及び第２端末３００に同じ様にインストールし、状況に応じて起動させるように設定しても良い。
【図面の簡単な説明】
【００７０】
【図１】本発明に係る遠隔操作システムの概略構成を示した図である。
【図２】複数の端末の設置例を示した図である。
【図３】識別情報送信機における処理フローを示した図である。
【図４】第１端末２００における処理フロー（１）の一例を示した図である。
【図５】第１端末２００における処理フロー（２）の一例を示した図である。
【図６】第２端末３００における処理フロー（１）の一例を示した図である。
【図７】第２端末３００における処理フロー（２）の一例を示した図である。
【符号の説明】
【００７１】
１００    第１識別情報送信機
１０１    第２識別情報送信機
２００    第１端末
２０１    第１受信部
２０２    第１操作部
２０３    第１施開錠制御部
２０４    第１記憶部
２０５    第１遠隔操作制御部
２０６    第１送受信部
３００    第２端末
３０１    第２受信部
３０２    第２操作部
３０３    第２施開錠制御部
３０４    第２記憶部
３０５    第２遠隔操作制御部
３０６    第２送受信部
４００    ＬＡＮネットワーク
【図１】
2007329720.tif 000003
【図２】
2007329720.tif 000004
【図３】
2007329720.tif 000005
【図４】
2007329720.tif 000006
【図５】
2007329720.tif 000007
【図６】
2007329720.tif 000008
【図７】
2007329720.tif 000009